(57)【要約】 【課題】  本発明は、上記のような従来技術の問題点に鑑みてなされたものであり、撮影機能を有する情報処理装置から、個々の撮影対象物に対して、確実に不正撮影を防止する方法を提供することを目的とする。【解決手段】  本発明に係る情報処理装置は、撮影機能を有し、無線ＩＣタグを搭載した対象物を撮影することが可能な情報処理装置において、該撮影機能を動作した場合に、該無線ＩＣタグへ撮影対象物が存在するか否かをチェックする撮影対象物チェック信号を生成する撮影対象物チェック信号生成部と、該撮影対象物チェック信号を送信し、該撮影対象物チェック信号に対する無線ＩＣタグからの応答信号を受信可能とする信号送受信部と、該応答信号を受信した場合に、受信した応答信号に基づいて、該撮影機能を制御する制御部とを備えることを特徴とする。【選択図】  図３
2006267687.tif 000002
【特許請求の範囲】
【請求項１】
撮影機能を有し、無線ＩＣタグを搭載した対象物を撮影することが可能な情報処理装置において、
該撮影機能を動作した場合に、該無線ＩＣタグへ撮影対象物が存在するか否かをチェックする撮影対象物チェック信号を生成する撮影対象物チェック信号生成部と、
該撮影対象物チェック信号を送信し、該撮影対象物チェック信号に対する無線ＩＣタグからの応答信号を受信可能とする信号送受信部と、
該応答信号を受信した場合に、受信した応答信号に基づいて、該撮影機能を制御する制御部と、
を備えることを特徴とする情報処理装置。
【請求項２】
該信号送受信部において受信した応答信号が、撮影を禁止する旨の撮影動作禁止信号である場合には、該制御部は該撮影機能の動作を禁止制御することを特徴とする請求項１に記載の情報処理装置。
【請求項３】
撮影機能を有する情報処理装置と無線を介して通信可能な無線ＩＣタグにおいて、
該情報処理装置から撮影対象物が存在するか否かをチェックする撮影対象物チェック信号を受信可能な信号送受信部と、
該撮影対象物チェック信号を受信した場合に、該撮影対象物チェック信号に対して該情報処理装置の撮影機能の動作を制御する応答信号を生成する応答信号生成部と、
を有し、該信号送受信部より該応答信号を該情報処理装置へ送信することを特徴とする無線ＩＣタグ。
【請求項４】
無線ＩＣタグを搭載した対象物の撮影を制御する不正撮影防止方法であって、
該対象物を撮影するために撮影機能を起動する撮影機能起動手順と、
該撮影機能が起動した場合に、該無線ＩＣタグへ撮影対象物が存在するか否かをチェックする撮影対象物チェック信号を生成する撮影対象物チェック信号手順と、
該撮影対象物チェック信号を送信する撮影対象物チェック信号送信手順と、
該撮影対象物チェック信号に対する無線ＩＣタグからの応答信号を受信した場合に、受信した応答信号に基づいて、該撮影機能を制御する制御手順と、
からなることを特徴とする不正撮影防止方法。
【請求項５】
無線ＩＣタグを搭載した対象物の撮影を制御する不正撮影防止プログラムであって、
該対象物を撮影するために撮影機能を起動する撮影機能起動ステップと、
該撮影機能が起動した場合に、該無線ＩＣタグへ撮影対象物が存在するか否かをチェックする撮影対象物チェック信号を生成する撮影対象物チェック信号ステップと、
該撮影対象物チェック信号を送信する撮影対象物チェック信号送信ステップと、
該撮影対象物チェック信号に対する無線ＩＣタグからの応答信号を受信した場合に、受信した応答信号に基づいて、該撮影機能を制御する制御ステップと、
をコンピュータに実行させることを特徴とする不正撮影防止プログラム。
【発明の詳細な説明】
【技術分野】
【０００１】
本発明は、撮影機能を有するカメラ付き携帯電話機等を使用して、書店において書籍の必要な部分のみを撮影して情報を保存し、書籍を購入せずに撮影した情報を店外に持ち出しする、いわゆるデジタル万引きの防止、及び人物の盗撮などによる肖像権やプライバシーの侵害を防止する技術に関する。
【背景技術】
【０００２】
近年、デジタルカメラ、デジタルビデオカメラの進歩は目覚しく、小型化が進んでいる。そしてカメラは携帯電話機などへも標準装備されるようになっている。
これらの情報処理装置では撮影した静止画データ及び動画データをパソコンなどへ保存し再生・編集したり、メール機能等の通信機能を利用して外部へ転送することが可能である。
特にカメラ付携帯電話機での撮影及びデータの保存・転送は多くの人々に利用されている。
【０００３】
また外部通信では、携帯電話に赤外線通信やＢｌｕｅｔｏｏｔｈを搭載することで通信の多様性、操作性及び利便性の向上が図られている。
【０００４】
撮影が便利になる一方で、盗撮等による撮影対象物の著作権、肖像権、プライバシーの侵害が社会的な問題となっている。
【０００５】
それらの不正な撮影を防止する従来技術として、撮影時に擬似的なシャッター音等の音声を発生することや、発光物により光を発生することにより、撮影が行われていることを報知して、周囲に注意を促す技術がある。
【０００６】
さらに著作権の保護を目的とする従来技術として、以下の特許文献が存在する。
【特許文献１】特開２００３−１７９７４１号  上記文献中にはデジタルデータの不正コピー・改ざんを防止する電子透かし技術が公開されている。
【０００７】
電子透かし技術は静止画像、動画、音声データなどのマルチメディアデータに著作権情報などを埋め込み、専用ソフトウェアによるチェックが実施できるものである。
【０００８】
ここで電子透かし技術は紙や衣類などへも印刷可能であり、著作権の保護だけでなく、宣伝やイベント用のサイトへの簡易アクセスや会員証などの認証用にも応用されている。
【０００９】
また、盗撮防止を目的とする従来技術として、以下の特許文献も存在する。
【特許文献１】特開２００４−２３６９２号公報  上記文献中には美術館やコンサート会場などの出入口に無線ゲートを設けて、Ｂｌｕｅｔｏｏｔｈ等の近距離通信技術を利用して電波を送受信することにより会場内でのデジタル撮影機能を抑制または防止する技術が開示されている。
【発明の開示】
【発明が解決しようとする課題】
【００１０】
しかしながら従来技術には、以下のような問題点がある。
【００１１】
カメラ付携帯電話機では、撮影時にシャッター音や光が発生することにより、周囲に撮影を報知しているが、撮影可能な場所での騒音に配慮して大きな音は出せないのが現状である。
また音はＢＧＭや周囲の雑音の中では目立たないことが多く、撮影者への心理的な抑止効果を期待するものなので、撮影時にシャッター音が鳴ったり、光が発生したとしても、撮影対象物が、書店における書籍などである場合、近くに書店の店員がいなければ不正撮影の充分な防止効果が得られない。
【００１２】
撮影対象物が人物である場合においても、本人が気付かなければ不正撮影の防止効果がない。
【００１３】
また電子透かし技術を用いる場合、撮影対象物が印刷物やデジタルデータ等の撮影対象物に撮影禁止の固有情報を埋め込む。そしてカメラ付き携帯電話機等の撮影機能を有する情報処理装置側に、専用ソフトウエアを具備することにより、不正撮影を防ごうとするものであるが、撮影対象物が書籍などである場合は、全てのページに電子透かし技術を適用しなければ、充分な防止効果が得られない。
【００１４】
既存の本や新古本等、既に販売されている書籍においても、不正撮影を防止する要求が存在するが、電子透かし技術は、印刷時に固有情報を埋め込むため、既に印刷及び製本された書籍に適用するのは非常に困難である。
【００１５】
また、印刷物に撮影禁止の固有情報が埋め込まれてしまうと、その固有情報を変更したり、削除することは困難であるため、通常は不正撮影を禁止したいが、正式に許可を得た場合には、例外的に撮影を認めるなどの対応が容易にできない。
【００１６】
美術館やコンサート会場などの出入口に無線ゲートを設けて、近距離通信技術を利用して電波を送受信することにより、会場内でのデジタル撮影機能を抑制または防止する方法においては、対象となる制御空間内での全ての撮影行為が禁止されるため、対象となる制御空間内での全ての撮影行為が制約されることとなり、実際の利用に際しては慎重さが求められる。
本発明は、上記のような従来技術の問題点に鑑みてなされたものであり、撮影機能を有する情報処理装置から、個々の撮影対象物に対して、確実に不正撮影を防止する方法を提供することを目的とする。
【００１７】
また、本発明によれば、個々の撮影対象物に対して、その用途や条件に応じて、撮影機能の制限内容を変更可能とすることができる。
【００１８】
また、本発明によれば、撮影対象物が著作権を有する印刷物である場合、既に商品として販売されているものに対しても適用することができ、不正撮影を防止することができる。
【課題を解決するための手段】
【００１９】
本発明に係る情報処理装置は、撮影機能を有し、無線ＩＣタグを搭載した対象物を撮影することが可能な情報処理装置において、該撮影機能を動作した場合に、該無線ＩＣタグへ撮影対象物が存在するか否かをチェックする撮影対象物チェック信号を生成する撮影対象物チェック信号生成部と、該撮影対象物チェック信号を送信し、該撮影対象物チェック信号に対する無線ＩＣタグからの応答信号を受信可能とする信号送受信部と、該応答信号を受信した場合に、受信した応答信号に基づいて、該撮影機能を制御する制御部とを備えることを特徴とする。
【００２０】
また本発明に係る情報処理装置は、該信号送受信部において受信した応答信号が、撮影を禁止する旨の撮影動作禁止信号である場合には、該制御部は該撮影機能の動作を禁止制御することを特徴とする情報処理装置。
【００２１】
また本発明に係る無線ＩＣタグは、撮影機能を有する情報処理装置と無線を介して通信可能な無線ＩＣタグにおいて、該情報処理装置から撮影対象物が存在するか否かをチェックする撮影対象物チェック信号を受信可能な信号送受信部と、該撮影対象物チェック信号を受信した場合に、該撮影対象物チェック信号に対して該情報処理装置の撮影機能の動作を制御する応答信号を生成する応答信号生成部とを有し、該信号送受信部より該応答信号を該情報処理装置へ送信することを特徴とする。
【００２２】
また本発明に係る不正撮影方法は、無線ＩＣタグを搭載した対象物の撮影を制御する不正撮影防止方法であって、該対象物を撮影するために撮影機能を起動する撮影機能起動手順と、該撮影機能が起動した場合に、該無線ＩＣタグへ撮影対象物が存在するか否かをチェックする撮影対象物チェック信号を生成する撮影対象物チェック信号手順と、該撮影対象物チェック信号を送信する撮影対象物チェック信号送信手順と、該撮影対象物チェック信号に対する無線ＩＣタグからの応答信号を受信した場合に、受信した応答信号に基づいて、該撮影機能を制御する制御手順とからなることを特徴とする。
【００２３】
さらに本発明に係る不正撮影防止プログラムは、無線ＩＣタグを搭載した対象物の撮影を制御する不正撮影防止プログラムであって、該対象物を撮影するために撮影機能を起動する撮影機能起動ステップと、該撮影機能が起動した場合に、該無線ＩＣタグへ撮影対象物が存在するか否かをチェックする撮影対象物チェック信号を生成する撮影対象物チェック信号ステップと、該撮影対象物チェック信号を送信する撮影対象物チェック信号送信ステップと、該撮影対象物チェック信号に対する無線ＩＣタグからの応答信号を受信した場合に、受信した応答信号に基づいて、該撮影機能を制御する制御ステップとをコンピュータに実行させることを特徴とする。
【発明の効果】
【００２４】
以上、説明したように、本発明によれば、個々の撮影対象物に対して、撮影機能を有する情報処理装置を使用した不正撮影を確実に防止することが可能となる。
【００２５】
撮影対象物が書店における書籍である場合には、撮影機能を有する情報処理装置を使用したデジタル万引きを確実に防止することが可能となり、特別な印刷技術を必要としないため、既に販売されている書籍にも適用が可能である。
【００２６】
また、本発明によれば、撮影機能を有する情報処理装置を使用した人物の盗撮などによる、肖像権やプライバシーの侵害の防止や、企業における機密情報の漏洩防止も可能となる。
【００２７】
また、ライタ機能を有する情報処理装置を追加した構成とし、無線ＩＣタグメモリ部のデータの書換えを行うときは、個々の撮影対象物に対して、不正撮影防止機能の有効化、無効化を切り替えての使用が可能となり、周囲の環境や使用条件に柔軟に対応できるという利点がある。
【００２８】
また、ライタ機能を有する情報処理装置と、無線ＩＣタグ間で認証を行うときは、データの書換えを行える情報処理装置を限定することにより、悪意によるライタを有する他の情報処理装置からのデータ改ざん、及び別目的で存在するライタ機能を有する情報処理装置からの誤操作によるデータ書換えの防止が可能となり、本方法の信頼性を向上することができる。
【００２９】
また、撮影機能を有する情報処理装置の表示部に撮影を禁止する文言またはマークを表示することによれば、不正撮影を不注意で、または、故意に実施した撮影者に確実に不正撮影であることを通知・警告することができるので、その場の不正撮影を防止することはもちろんだが、撮影者のその後の不正撮影行為の防止効果も期待できる。
【００３０】
また、無線ＩＣタグを埋め込むことによれば、安易に取り外すことができなくなるので、確実な不正撮影の防止が実行することができる。
【００３１】
また、無線ＩＣタグを製本段階で一括して埋め込むようにすれば、コスト低減の効果も期待できる。
また、無線ＩＣタグを取り外し可能な形状とすることによれば、無線ＩＣタグが埋め込まれていない新刊や、既存本、新古本に対しても適応できるので、不正撮影防止範囲を拡大することができる。
【００３２】
また、書籍だけでなく、撮影を禁止したい対象物、例えば、新製品のデザインであって撮影されないようにしたいものなどに貼り付けることもできるので、適用範囲を更に広げることができる。
【００３３】
また、無線ＩＣタグを携帯可能な形状とすることによれば、不正撮影を防止したい人物が、必要時に携帯するだけで、不正撮影を防止できる。
【００３４】
また、無線ＩＣタグを携帯可能で、かつ、外部から携帯していることを確認可能な形状とし、撮影禁止区域や建物内で、撮影制限を受ける入場者に携帯させることにより、入場者が撮影機能を有する情報処理装置を所持したままの状態でも、撮影機能を有する情報処理装置からの撮影機能を確実に制限することができる。
【００３５】
例えば、工場見学や、裁判所の法廷、最新技術を扱う企業、コンサート会場など、現状では撮影機能を有する情報処理装置の持込を禁止している区域で、撮影機能を有する情報処理装置の所持チェック、及び所持していた場合の装置一時預かりの対応が不要となる。
【００３６】
また、交信距離の異なる無線ＩＣタグを数種類使用し、無線ＩＣタグの貼り換えを行うことにより、撮影機能制限の適用範囲を変えられるため、管理者の意志で、個々の撮影対象物の特徴に応じて、適用範囲を調節することが可能となる。
【００３７】
また、撮影機能を有する情報処理装置のアンテナ部を指向性アンテナとすれば、撮影機能を有する情報処理装置と撮影を禁止する対象物が近傍に存在しても、カメラの向きが撮影可能な状態である場合にのみ、撮影機能を防止することが可能となるため、不必要に撮影機能が制限されることなく、撮影機能の使用範囲を広げ、かつ確実に不正撮影を防止することができる。
【００３８】
また、撮影対象との距離に応じて撮影の禁止・ズームのみの禁止を制御する方法によれば、不正撮影を禁止したい対象物の撮影防止を実施できるとともに、撮影許可範囲が広がることになるため、不必要に撮影行為が禁止されることなく、自由に撮影する範囲を広げることができる。
【００３９】
また、不正撮影を禁止したい対象物の管理者が対象物に対する撮影の制御・禁止事項をカスタマイズする方法によれば、撮影対象物に応じた禁止・制限事項を個々に設定できる。更に、撮影防止効力の緩和や、新たなサービスへの基盤を構築することが可能となる。
【００４０】
また、管理者が撮影機能の禁止事項をカスタマイズする方法によれば、防止したい不正撮影を確実に防止するとともに、例えば、対象物が絵画の場合など、フラッシュ機能を確実に禁止したい場合のように、撮影対象物に応じた撮影方法の制限を付与することができる。
【００４１】
また、管理者が撮影映像の保存または転送に関する禁止・制限事項をカスタマイズする方法によれば、例えば、撮影自体は許可するが、個人での利用のみを許可し、他への転送を禁止したい場合のように、撮影対象物に応じた撮影映像の取り扱いの制限を付与することができる。
【００４２】
また管理者が撮影に際して課金情報を設定する方法によれば、撮影に対するロイヤリティを回収可能となるので、撮影者の撮影行為を正当な撮影として許可することができる。
【００４３】
また、管理者が撮影許可を与える方法によれば、許可を与える条件を撮影に対するロイヤリティと同義とみなすことができるため、撮影者の撮影行為を正当な撮影として許可することができる。
さらには、管理者が撮影枚数の禁止・制限事項をカスタマイズする方法によれば、撮影枚数を制限することができるので、先着限定サービスといった特色を出し、対象物への付加価値を提供することが可能となる。
【発明を実施するための最良の形態】
【００４４】
以下、本発明の実施形態について、図面により詳細に説明する。
【００４５】
図１は本発明に従う不正撮影防止方法の一実施例を示す基本構成図である。
【００４６】
撮影機能を有する情報処理装置は１０４、撮影対象物は１０１、撮影対象物に固着する無線ＩＣタグは１０２である。
【００４７】
撮影機能を有する情報処理装置としてカメラ付携帯電話機を例にとり、以下、１０４はカメラ付携帯電話機とする。他にもデジタルカメラ等であっても構わない。
【００４８】
本実施例では、書籍を販売する書店などにおいて、商品である書籍の不正撮影防止に適用するものとして説明する。
【００４９】
撮影対象物である書籍を示す１０１に、電波を送受信するアンテナ部１０３を備える無線ＩＣタグ１０２を固着しておく。
【００５０】
一方、カメラ付携帯電話機１０４は、撮影機能部１０５、表示部１０６と、無線ＩＣタグ１０２へ電波を送受信するアンテナ部１０７、電波の交信制御を行うリーダ機能部１０８、撮影機能部１０５や表示部１０６などを制御する制御部１０９、撮影した情報及び撮影対象物チェック信号を生成するための情報などを格納するメモリ部１１０で構成される。
【００５１】
本実施例において、撮影機能を有する情報処理装置は、カメラ付携帯電話機１０４であるので外部と通信する手段を有し、通信部１１１を内蔵しているものとする。
【００５２】
また請求項に記載の対象物チェック信号生成部はリーダ機能部１０８に対応し、信号送受信部はアンテナ部１０７に対応する。
【００５３】
図２は無線ＩＣタグの詳細図である。
【００５４】
１０２は無線ＩＣタグであり、アンテナ部１０３において、カメラ付携帯電話機１０４と電波の送受信を行う。そして無線ＩＣタグ１０２は、メモリアクセス制御部２０１とメモリ部２０２を有し、メモリアクセス制御部２０１はメモリ部内のシステム領域、ユーザ領域１、ユーザ領域２、ユーザ領域３にアクセス可能な構成となっている。ここでシステム領域は、無線ＩＣタグ１０２のシステムを示す情報が格納されている領域であり、ユーザ領域１、ユーザ領域２、ユーザ領域３は、ユーザそれぞれの個人情報等を格納することが可能な領域である。
【００５５】
また請求項に記載の無線ＩＣタグを構成する応答信号生成部は、メモリアクセス制御部２０１内に設けられているものとする。
【００５６】
次に、上記構成の不正撮影防止方法におけるカメラ付き携帯電話機１０４の各部における処理動作を説明する。
【００５７】
図３は本発明に係るフローチャートである。
【００５８】
カメラ付携帯電話機１０４が撮影機能部１０５を起動する（ステップＳ３０１）。
【００５９】
制御部１０９を介してメモリ部１１０から撮影対象物チェック信号を生成するための情報を取得したリーダ機能部１０８は、撮影対象物チェック信号を生成する(ステップＳ３０２)。
【００６０】
アンテナ部１０７より電波の送信を行う（ステップＳ３０３）と共に、撮影対象物１０１に固着する無線ＩＣタグ１０２からの応答である撮影動作禁止信号の受信待ち状態となる（ステップＳ３０４）。
【００６１】
上記撮影対象物チェック信号の送信は、撮影機能が終了するまで定期的に行う。
【００６２】
カメラ付携帯電話機１０４が、撮影対象物１０１の撮影を目的として、無線ＩＣタグ１０２の電波送受信可能範囲に移動して撮影機能部１０５を起動、または撮影機能部１０５を起動中に無線ＩＣタグ１０２の電波送受信可能範囲に移動する。その際、撮影対象物１０１は、カメラ付き携帯電話機１０４から発信される撮影対象物チェック信号を、無線ＩＣタグ１０２のアンテナ部１０３により受信すると、共振作用により起電力が発生し無線ＩＣタグ１０２が動作し、撮影動作禁止信号を発信する。それにより、カメラ付き携帯電話機１０４のアンテナ部１０７が、撮影動作禁止信号を受信すると、アンテナ部１０７からリーダ機能部１０８を介して変換した信号を制御部１０９へ渡し、それを受けた制御部１０９が撮影機能部１０５のシャッター動作を禁止する（ステップＳ３０６）。
【００６３】
撮影機能を有する情報処理装置１０４が表示部１０６を備える場合には、表示部１０６に撮影禁止を示す文言、または、撮影禁止マーク、または文言とマークの両方を表示（ステップＳ３０５）した後、シャッター動作を禁止する（ステップＳ３０６）。
【００６４】
なお、シャッター動作禁止の状態は、撮影機能を終了する(ステップＳ３０８)か、または、撮影機能を有する情報処理装置１０４が、無線ＩＣタグ１０２の電波送受信範囲外に移動し、一定時間内に撮影対象物チェック信号の応答を受信しない場合に解除される(ステップＳ３０９)。
【００６５】
無線ＩＣタグを固着する方法としては、書籍に埋め込んでもよいし、貼り付けてもよい。
【００６６】
埋め込む場合の例としては、図９（a）に示すように、書籍の用紙９０４に無線ＩＣタグ１０２を載せ、その上から用紙９０３を接着剤９０５を使用して張り付けて製本したり、図９（b）に示すように、用紙９０８の上に無線ＩＣタグ１０２を載せ、その上からビニールなどのコーティング用紙９０９でカバーして製本することにより、書籍に埋め込んでも良い。
【００６７】
図１０−１、図１０−２において、さらに無線ＩＣタグを貼り付ける場合の例を示す。
【００６８】
図１０−１（ａ）に示すように、無線ＩＣタグ１０２を、無線ＩＣタグを挿入することができる袋状の領域と書籍へ貼り付けることができる接着面を持つ無線ＩＣタグホルダ１００１へ挿入し、書籍１０１へ貼り付けるホルダ型としてもよい。
また、図１０−１（ｂ）に示すように、無線ＩＣタグ１０２を、値札やセロハンテープなどの接着シール１００２を利用して書籍１０１へ貼り付けるシール型としてもよい。
また、図１０−１（ｃ）に示すように、無線ＩＣタグ１０２をブックカバー１００３へ貼り付けて、書籍１０１を覆うブックカバー型としてもよい。
また、図１０−２（ｄ）に示すように、無線ＩＣタグ１０２をしおり１００４へ貼り付けるしおり型としてもよい。
また、図１０−２（ｅ）に示すように、無線ＩＣタグ１０２を帯１００５へ貼り付けて、書籍に装着する帯型としてもよい。
また、図１０−２（ｆ）に示すように、無線ＩＣタグ１０２をアダプタ１００６へ挿入して、書籍へ装着するアダプタ型としてもよい。
無線ＩＣタグを書籍に埋め込む形態とする場合には、書籍からの安易な取り外し防止が可能となり、無線ＩＣタグを書籍に貼り付ける形態とした場合には、使用済みの無線ＩＣタグを回収することにより、無線ＩＣタグの再利用が可能となる。
また、無線ＩＣタグ１０２を貼り付ける形態とした場合、交信距離の異なる無線ＩＣタグ、例えばパッシブ型無線ＩＣタグと、アクティブ型無線ＩＣタグなどを数種類用意して書籍の特徴により貼り換えすれば、個々の書籍に対して不正撮影防止機能を有効とする範囲を変更することが可能となる。
本実施例では、書籍を販売する書店などにおいて、商品である書籍の不正撮影防止に適用するものとして説明しているが、別の実施形態として以下の形態であってもよい。
図１１（ａ）に示すように、無線ＩＣタグ１０２を樹脂１１０１でコーティングして、カード型、コイン型、ストラップ型などの携帯可能な形状とする。
図１１（ｂ）に示すように、人１１０２が無線ＩＣタグ１０２を携帯する実施形態とすることにより、人物の不正撮影防止に適用できる。この場合、無線ＩＣタグ１０２が携帯可能な形状であれば、形はどのようなものであっても構わない。
【００６９】
また、上述したカメラ付携帯電話機１０４のアンテナ部１０７には、指向性アンテナを備えてもよく、そのような構成とすれば、撮影動作禁止信号の受信方向を限定することが可能となる。  
【００７０】
図１２にアンテナ部部１０７が指向性アンテナの場合の実施例を示す。
カメラ付携帯電話機１０４の撮影機能部であるカメラ１２２２の撮影可能領域１２２３とアンテナの交信領域１２０４が同じ方向となるように、カメラ付携帯電話機１０４の基盤１２２１に指向性アンテナ１０７を設置する。
【００７１】
カメラ付携帯電話機の撮影機能部であるカメラには撮影可能な方向があり、撮影可能な方向の範囲外に存在する対象物を撮影するには、カメラの方向を変える必要がある。
【００７２】
撮影機能を有する情報処理装置には、カメラの撮影可能な方向と、指向性アンテナの電波の送受信可能な方向を同じ方向として具備する。
【００７３】
カメラ部が可動したり、複数のカメラ部を有する装置もあるが、カメラ部が可動する場合には、アンテナ部もカメラ部に合わせて可動するものとし、複数のカメラ部を切り替える場合には、アンテナ部も複数備え、カメラ部の切替に合わせて、使用するアンテナの切替を行う。
これにより、撮影対象物の方向と撮影するカメラの向きが同じである場合のみ撮影を防止することが可能となる。
これにより、図１３に示すように、カメラ付き携帯電話機１０４の交信領域１３０４に存在する撮影対象物１０１とのみ撮影対象物チェック信号及び撮影動作禁止信号の送受信を行うため、撮影対象物１０１のみが撮影禁止となる。撮影対象物１３０１は交信領域１３０４に存在せず、撮影機能の動作が可能となる。
【００７４】
図４は本発明に従う不正撮影防止機能を解除可能とする情報処理装置の構成図である。
【００７５】
本実施例では、書籍を販売する書店などにおいて、撮影対象物である書籍の購入により不正撮影防止機能を解除する場合、また、書店の管理者が書籍の管理目的で意図的に書籍の撮影を行うなど、撮影許可を得て正式に撮影するために、不正撮影防止機能を解除する場合に適用するものとして説明する。
無線ＩＣタグメモリ部のデータ書換えを行うライタ機能を有する情報処理装置４０１は、無線ＩＣタグメモリ部のデータ書換えを行うライタ機能部４０２、無線ＩＣタグから情報を読み出すリーダ機能部４０３、データ書換えに使用する情報を保持するメモリ部４０４、上記各機能部を制御する制御部４０５、及び電波の送受信を行うアンテナ部４０６、外部からの入力情報を受ける入力部４０７、処理結果を表示する表示部４０８により構成される。    
もう一方の撮影対象物１０１における構成は上記の不正撮影防止方法に記載した構成と同様である。
また付記に記載のデータ書き換え信号生成部は、ライタ機能部４０２に対応する。
【００７６】
次に、上記構成におけるライタ機能を有する情報処理装置４０１の各部における処理動作を、図５及び、図６に示すフローチャートを用いて説明する。
【００７７】
ライタ機能を有する情報処理装置４０１のメモリ部４０４には、予め、無線ＩＣタグ１０２のメモリ部ユーザ領域４１４へデータ書換えを行う際に参照する情報を格納しておくものとする。
【００７８】
撮影対象物１０１に対して不正撮影防止機能を解除する際、管理者が撮影対象物１０１をライタ機能を有する情報処理装置４０１に近づけ、ライタ機能を有する情報処理装置２０１の入力部２０７より操作し(ステップＳ５０１)、制御部４０５を介してリーダ機能部４０３を起動する。
【００７９】
それにより、リーダ機能部４０３は書換え開始信号を生成し(ステップＳ５０２)、アンテナ部４０６より書換え開始信号の送信を行う(ステップＳ５０３)と共に、撮影対象物１０１に固着する無線ＩＣタグ１０２からの応答受信待ち状態となる(ステップＳ５０４)。
【００８０】
アンテナ部４０６が、撮影対象物１０１からの応答を受信したかを判断（ステップＳ５０５）し、一定時間内に撮影対象物１０１からの応答を受信しない場合（ステップＳ５１２）には、応答受信待ち状態を解除し(ステップＳ５１３)、書換え対象の無線ＩＣタグが周囲に存在しないことを示すエラーメッセージを表示部に表示する（ステップＳ５１４）。
【００８１】
アンテナ部４０６が、撮影対象物１０１からの応答を受信したかを判断（ステップＳ５０５）し、一定時間内に、アンテナ４０６が無線ＩＣタグ１０２からの応答を受信すると、制御部４０５を介してメモリ部４０４より情報を取得したライタ機能部２０２は、機能解除のデータ書換え信号を生成し（ステップＳ５０６）、アンテナ部２０６より電波の送信を行い(ステップＳ５０７)、無線ＩＣタグからの応答受信待ち状態となる（ステップＳ５０８）。
ライタ機能部２０２は、アンテナ部４０６より応答信号を受信したかを判断し（ステップＳ５０９）、応答信号を受信した場合、ライタ機能部２０２は無線ＩＣタグのデータ書換えが正常に終了したことを表示部に表示して終了する（ステップＳ５１０）。
【００８２】
一定時間、ライタ機能部２０２がアンテナ部４０６より応答信号を受信しない場合には、応答受信待ち状態を解除し(ステップＳ５１３)、書換え対象の無線ＩＣタグが周囲に存在しないことを示すエラーメッセージを表示部に表示する（ステップＳ５１４）。
これにより、無線ＩＣタグのデータが書換えられ不正撮影防止機能が解除される。
【００８３】
一方、無線ＩＣタグ１０２は、初期の電波受信状態（ステップＳ６０１）から、アンテナ部１０３が、機能解除のデータ書換え信号を受信したかを判断し(ステップＳ６０２)、機能解除のデータ書換え信号を受信した場合にはメモリアクセス制御部２０１が起動し（ステップＳ６０３）、受信した信号を解析する（ステップＳ６０４）。
【００８４】
受信した信号が書換え開始信号であるか否かを判断し（ステップＳ６０５）、受信した信号が書換え開始信号であれば応答信号を生成（ステップＳ６０６）、送信（ステップＳ６０７）する。
受信した信号が書換え開始信号でなく、書換え信号であれば（ステップＳ６０９）、メモリ部ユーザ領域２０２のデータ書換えを行い（ステップＳ６１０）、応答信号を生成（ステップＳ６１１）、送信後（ステップＳ６１２）、メモリアクセス制御部を終了し（ステップＳ６１３）、電波受信状態となる（ステップＳ６０１）。
また、図４と同様の構成を使用した別の実施形態では、再度不正撮影防止機能を有効とすることができる。
【００８５】
例えば書籍を販売する書店などにおいて、撮影対象物である書籍の返品により再度不正撮影防止機能を有効する場合、また、意図的な書籍の撮影後に再び不正撮影防止機能を有効とする場合に使用するものである。
予め、ライタ機能を有する情報処理装置４０１のメモリ部４０４には、どの情報を参照してメモリ書換え動作を行うかを判断するための、有効モード、無効モード等における書換え情報参照先等の書換え動作モード情報、及び無線ＩＣタグ１０２のメモリ部２０２へデータ書換えを行う際に参照する情報を格納しておく。
ここで有効モードとは、不正撮影防止機能が有効になっている動作モードであり、無効モードは不正撮影機能が無効になっている動作モードである。
【００８６】
上記書換え動作モード情報は、入力部４０７より操作することにより書換え可能であり、初めは無効モードに設定しているとする。
【００８７】
撮影対象物１０１に対して、不正撮影防止機能を有効とする際に、管理者が撮影対象物１０１をライタ機能を有する情報処理装置４０１に近づけ、ライタ機能を有する情報処理装置４０１の入力部４０７より操作することにより、制御部４０５を介してリーダ機能部４０３を起動する。
【００８８】
それにより、リーダ機能部４０３は、アンテナ部４０６より電波の送信を行うと共に、撮影対象物１０１に固着する無線ＩＣタグ４０１からの応答受信待ち状態となる。
アンテナ部４０６が、一定時間内に撮影対象物１０１からの応答を受信しない場合には、応答受信待ち状態を解除する。
【００８９】
一定時間内に、アンテナ４０６が無線ＩＣタグ１０２からの応答を受信すると、ライタ機能部４０２は、制御部４０５を介してメモリ部４０４より有効モードにおける書換え情報参照先を取得し、機能有効化のデータ書換え信号を生成してアンテナ部４０６より電波の送信を行う。
それにより、無線ＩＣタグ１０２のアンテナ部１０３が、機能有効化のデータ書換え信号を受信し、メモリアクセス制御部２０１がメモリ部２０２のデータ書換えを行うことにより、不正撮影防止機能が有効となる。
上記書換え動作モード情報は書換え可能であり、入力部４０７からの操作により動作モード情報の切り替えを行う。
【００９０】
また他の実施形態では、図４におけるライタ機能を有する情報処理装置４０１から、無線ＩＣタグメモリ部のデータを書き換える際に、無線ＩＣタグ１０２と、ライタ機能を有する情報処理装置４０１との間で認証を行う。
【００９１】
そして認証が成功した場合のみ、無線ＩＣタグメモリ部のデータを書換える。
これにより、正式なライタ機能を有する情報処理装置からのみ、無線ＩＣタグメモリ部のデータ書換えを可能とし、不正なライタ機能を有する情報処理装置からの書換えを無効とすることが可能となる。
ここで認証とは、正当性を検証する方法であれば、いかなる認証方法であってもよい。認証信号は、上記不正撮影防止機能の解除方法及び再度機能を有効とする方法におけるデータ書換え信号に付与する。
【００９２】
認証信号を使用した実施例を図４の構成図、図２の無線ＩＣタグ詳細図、及び図７に示す部分フローチャートを使用して以下に説明する。
ライタ機能を有する情報処理装置４０１のメモリ部４０４と、無線ＩＣタグ１０２のメモリ部２０２の先頭領域にはメモリ部２０２のデータ書換え時のライタの正当性検証に使用する共通の認証鍵を格納しておく。
【００９３】
無線ＩＣタグ１０２のデータ書換えを行う際の管理者による操作は、上記不正撮影防止機能の解除方法及び再度機能を有効とする方法と同様であるが、ライタ機能部を有する装置２０１からデータ書換え信号送信後、アンテナ４０６が無線ＩＣタグ１０２からの応答を受信すると、制御部４０５を介してメモリ部４０４より情報を取得したライタ機能部４０２は、機能解除のデータ書換え信号を生成する（ステップＳ７０６）。更に、メモリ部４０４より認証鍵を取得し、データ書換え信号に付加（ステップＳ７０７）した後、アンテナ部４０６より電波の送信を行い(ステップＳ７０８)、無線ＩＣタグからの応答受信待ち状態となる（ステップＳ７０９）。
【００９４】
図８は、無線ＩＣタグの処理動作を示すフローチャートである。
【００９５】
無線ＩＣタグ１０２は、初期の電波受信状態（ステップＳ８０１）から、アンテナ部１０３が、機能解除のデータ書換え信号を受信したかを判断し（ステップＳ８０２）、機能解除のデータ書換え信号を受信すると、メモリアクセス制御部２０１が起動し（ステップＳ８０３）、受信した信号に認証信号が付加されているか解析する（ステップＳ８０４）。
【００９６】
認証信号が付加されていない場合は、正当なライタからの信号ではないと判断し、受信信号を破棄して再び電波受信状態（ステップＳ８０１）となる。
認証信号が付加されている場合は、メモリアクセス制御部２０１を介してメモリ部２０２から認証鍵を参照し、認証信号が正しいか検証を行う（ステップＳ８０５）。
【００９７】
認証信号が正しい場合は、認証信号を除いた信号部分をさらに解析し（ステップＳ８０６）、書換え開始信号であるか否か判断する（ステップＳ８０７）。
書換え開始信号であれば、応答信号を生成し（ステップＳ８０８）、送信（ステップＳ８０９）した後、メモリアクセス制御部２０１を終了し（ステップＳ８１０）再び電波受信状態（ステップＳ８０１）となる。
受信した信号が書換え開始信号でなく、書換え信号であるか判断し（ステップＳ８１１）、書換え信号であれば、メモリアクセス制御部２０１を介してメモリ部２０２のデータを書き換え（ステップＳ８１２）、更に応答信号を生成（ステップＳ８１３）、送信（ステップＳ８１４）した後、メモリアクセス制御部２０１を終了し、（ステップＳ８１５）再び電波受信状態（ステップＳ８０１）となる。
アンテナ部２０６より応答信号を受信したライタ機能部２０２は、無線ＩＣタグのデータ書換えが正常に終了したことを表示部に表示して終了する。これにより、認証鍵を有する正当なライタ機能を有する装置のみから、無線ＩＣタグのデータが書換えが可能となる。
【００９８】
無線ＩＣタグ１０２を携帯可能で、かつ、外部から携帯していることを確認可能な形状とし、撮影禁止区域や建物内で、撮影制限を受ける入場者に携帯させる。
【００９９】
無線ＩＣタグ１０２と撮影機能を有する情報処理装置１０４の間における撮影対象物チェック信号と撮影禁止信号の送受信については、上述の不正撮影防止方法と同様である。
【０１００】
図１４（ａ）にカードホルダ型、図１４（ｂ）にカード型、図１４（ｃ）にバッジ型の実施例を示す。
【０１０１】
人物が携帯可能であり、外から携帯していることが確認可能であればどのような形状であってもよい。
【０１０２】
まず図１４（ａ）カードホルダ型の場合について説明する。
【０１０３】
撮影禁止区域内に入場する人物１４０１が所持するカバンの中に、撮影機能を有する情報処理装置１０４が入っているとする。
【０１０４】
人物が入場する際に、入り口でカードホルダ型の無線ＩＣタグ１０２を貸し出し、入場中は、ビジターカードを入れ、首から下げて携帯してもらう。これにより、カバンの中のチェックを行うことなく、入場者１４０１が所持する撮影機能を有する情報処理装置１０４からの不正撮影防止が可能となる。
【０１０５】
人物が退場する際には、貸し出したビジターカードとカードホルダ型無線ＩＣタグ１０２を回収すればよい。
【０１０６】
次に図１４（ｂ）カード型の場合について説明する。
撮影禁止区域内に入場する人物１４０１が所持するカバンの中に、撮影機能を有する情報処理装置１０４が入っている。
【０１０７】
人物が入場する際に、入り口でカード型の無線ＩＣタグ１０２を貸し出し、入場中は、カード型の無線ＩＣタグ１０２を着用してもらう。
【０１０８】
これにより、カバンの中のチェックを行うことなく、入場者１４０１が所持する撮影機能を有する情報処理装置１０４からの不正撮影防止が可能となる。
【０１０９】
人物が退場する際には、貸し出したカード型無線ＩＣタグ１０２を回収することにより、入場者は再び情報処理装置１０４の撮影機能を使用することが可能となる。
【０１１０】
次に図１４（ｃ）バッヂ型の場合について説明する。
【０１１１】
撮影禁止区域内に入場する人物１４０１が所持するカバンの中に、撮影機能を有する情報処理装置１０４が入っているとする。
人物が入場する際に、入り口でバッヂ型の無線ＩＣタグ１０２を貸し出し、入場中は、ビジターカードを入れ、首から下げて携帯してもらう。これにより、カバンの中のチェックを行うことなく、入場者１４０１が所持する撮影機能を有する情報処理装置１０４からの不正撮影防止が可能となる。
【０１１２】
人物が退場する際には、貸し出したバッヂ型無線ＩＣタグ１０２を回収することにより、入場者は再び情報処理装置１０４の撮影機能を使用することが可能となる。
次に、カメラ付携帯電話機と撮影対象物との距離に応じて撮影禁止またはズームのみ禁止とする方法について説明する。
図１５は本発明の実施例に係る構成図である。
撮影対象物の無線ＩＣタグとカメラ付携帯電話機との距離として、無線ＩＣタグと撮影機能を有する情報処理装置間で交信する信号の送受信時間を使用する。
【０１１３】
送受信時間が短ければ至近距離にあると判断し、送受信時間が長ければそれに応じて距離が離れていると判断する。
【０１１４】
撮影対象物の管理者は、この送受信時間のある距離における値を、撮影禁止とズームのみ禁止の切替時間(以降、切替閾値とする)として、予め無線ＩＣタグへ設定しておく。
【０１１５】
なお、切替閾値は、予め実験等して計測することで決定できる。
【０１１６】
無線ＩＣタグには切替閾値の保存域と、この保存域の内容を読み取る信号である情報読取り信号を受信した際に、この保存域の値を返却する信号である情報応答信号を返信する機能を備える。
【０１１７】
カメラ付携帯電話機には、前記の情報読取り信号を送信し、前記の情報応答信号を受信する機能と、情報読取り信号と情報応答信号の送受信にかかる時間を測定する機能を設け、この測定値と、情報読取り信号により取得した該当無線ＩＣタグの切替閾値情報の値を比較して、距離の近遠を判断し、撮影を禁止する。
【０１１８】
図１６はカメラ付携帯電話機の制御部におけるフローチャートである。
【０１１９】
図１５において、無線ＩＣタグ１０２の本来の電波の到達範囲１５０５があり、管理者が無線ＩＣタグ１０２へ設定した切替閾値の範囲１５０４がある場合、撮影機能を有する情報処理装置１０４は、撮影対象に近づき、切替閾値の範囲１５０４の中に入って撮影機能を起動する。
【０１２０】
その場合、カメラ付携帯電話機１０４の制御部は、撮影機能を起動し（ステップＳ１６０１）、撮影対象物チェック信号を送信し(ステップＳ１６０２)、撮影動作禁止信号を受信したか判断する(ステップＳ１６０３)。
【０１２１】
制御部が撮影動作禁止信号を受信したと判断した場合、撮影対象物へ情報読取り信号を送信(ステップＳ１６０４)し、応答受信までの時間を計測するタイマを起動する。
【０１２２】
無線ＩＣタグ１０２から情報応答信号を受信する(ステップＳ１６０５)と、タイマを停止し、送受信時間を得る。
【０１２３】
そして測定時間が情報応答信号から得た切替閾値以内かを判断する(ステップＳ１６０６)。
【０１２４】
測定時間が情報応答信号から得た切替閾値以内かを判断した場合、カメラ付携帯電話機１０４は至近距離にいるため、制御部では撮影機能自体を禁止する処理(ステップＳ１６０７)し、撮影機能を終了する（ステップＳ１６０８）。
【０１２５】
一方、カメラ付携帯電話機１５０６は、撮影対象から離れていて切替閾値の範囲１５０４の外にいる状態で、撮影機能を起動する(ステップＳ１６０１)。
【０１２６】
カメラ付携帯電話機１５０６の制御部でも上記と同様に送受信時間を測定し、切替閾値と比較される。この場合は、測定時間が切替閾値より長くなるので、制御部ではズーム機能を禁止(ステップＳ１６０９)した上で撮影可能な状態とする(ステップＳ１６１０)。
【０１２７】
次に無線ＩＣタグの管理者が任意の制限・禁止事項を無線ＩＣタグに書き込むことで、撮影機能を有する情報処理装置からの撮影機能の制限・禁止事項を個々にカスタマイズする方法を説明する。
【０１２８】
無線ＩＣタグには、カスタマイズ情報の保存域と、この保存域の内容を読み取る信号である情報読取り信号を受信した際に、この保存域の値を返却する信号である情報応答信号を返信する機能を備える。
【０１２９】
カメラ付携帯電話機には、前記の情報読取り信号を送信し、前記の情報応答信号を受信する機能を備え、更に、前記のカスタマイズ情報に対応する制限・禁止データを解析・制御を実施する機能を有する。
【０１３０】
カスタマイズ情報に対応する制限・禁止データの解析・制御を実施する制御アプリケーションは、予め、撮影機能を有する情報処理装置に設定されていてもよいし、通信手段によってダウンロードして設定してもよい。
【０１３１】
また、撮影機能を有する情報処理装置に入力部を設け、撮影行為を実施する契機で、前記のカスタマイズ情報に対応した制御アプリケーションをダウンロードする機能を更に備える。前記の制御アプリケーションでは、表示部および入力部を利用することにより撮影機能を有する情報処理装置の使用者に、制限・禁止事項の受け入れや、制御方法が複数ある場合の選択を問い合わせることが可能である。
【０１３２】
無線ＩＣタグの管理者は、予め希望する制限・禁止事項を無線ＩＣタグに設定しておく。設定内容は判別可能であれば、どのような形式でもよいが、例えば、”0001:ON”,”0002:OFF”のように「番号: 禁止情報」の形で設定しておく方法がある。
【０１３３】
この方法では、例えば番号0001は撮影時のフラッシュ使用についての情報（ONは使用禁止、OFFは使用許可）、番号0002は撮影データの保存についての情報（ONは保存禁止、OFFは保存許可）の意味で使用すると管理者が決めて、この番号を撮影機能を有する情報処理装置に搭載する制御アプリケーションと合わせておくことで制御が可能となる。
【０１３４】
そして、新たな制限事項が出てきた場合に、管理者が新しい番号をつけて無線ＩＣタグに設定しておけば、撮影機能を有する情報処理装置で情報を読取った際に現在の制御アプリケーションでは制御できない情報が設定されていることがわかり、新しい制御アプリケーションのダウンロードが必要であることが判断できるようになる。
【０１３５】
次に、撮影機能を有する情報処理装置の制御アプリケーションの動作について図１３のフローチャートを使用して説明する。
【０１３６】
カメラ付携帯電話機が、前記のカスタマイズ情報が設定されている無線ＩＣタグが固着された撮影対象を撮影しようと撮影機能を起動する(ステップＳ１７０１)。
【０１３７】
撮影対象物チェック信号を送信し(ステップＳ１７０２)、撮影動作禁止信号を受信したか判断する（ステップＳ１７０３）。
【０１３８】
カメラ付携帯電話機が、撮影動作禁止信号を受信した場合、撮影対象物へ情報読取り信号を送信(ステップＳ１７０７)し、情報応答信号を受信する(ステップＳ１７０８)と、応答信号に記載されている情報が現在の制御アプリケーションで制御可能な情報だけで構成されているかを判断する(ステップＳ１７０９)。
【０１３９】
全て制御可能と判断すると、表示部に無線ＩＣタグに設定されている制限・禁止事項を受け入れるかを撮影者に判断させるメッセージを表示する(ステップＳ１７１０)。
【０１４０】
撮影者は入力部より判断結果を入力する。撮影者が制限・禁止事項を受け入れるか否か判断し（ステップＳ１７１１）、撮影者が制限・禁止事項を受け入れてないと判断した場合は、撮影を終了する（ステップＳ１７１２）。また、撮影者が制限・禁止事項を受け入れると判断した場合は、指定された機能の制限・禁止を実施(ステップＳ１７１３)して撮影を可能とする(ステップＳ１７０６)。
【０１４１】
一方、現在の制御アプリケーションで制御不可能な情報が存在する場合には、表示部に制御アプリケーションを更新する必要があることを通知するメッセージを表示し(ステップＳ１７１４)、更新ダウンロードを実施するかを撮影者に判断させるためのメッセージを表示する(ステップＳ１７１５)。通知メッセージと判断メッセージは１つにまとめて表示してもよいし、分けてもよい。
【０１４２】
撮影者が、更新ダウンロードを実施しないと判断した場合は、撮影を禁止して(ステップＳ１７１６)撮影機能を終了する(ステップＳ１７１７)。
【０１４３】
また、撮影者が更新ダウンロードを実施すると判断した場合は、通信部を使用して制御アプリケーションをダウンロードする(ステップＳ１７１８)。
【０１４４】
その後、必要に応じて、撮影機能を再起動することを促すメッセージを表示して撮影機能を再起動する(ステップＳ１７１９)。再起動した撮影機能では、ステップＳ１３０１から制御動作を実施して、該当の制御・禁止事項が処理されることとなる。
【０１４５】
なお、表示するメッセージは、文言だけでもいいしマークだけでもいいし、混在してもよい。
また、制御アプリケーションのダウンロードの通信手段は、無線通信で実施してもよいし、パーソナルコンピュータをサーバとしてケーブルで接続して実施する有線通信で実現してもよい。
【０１４６】
なお、本発明により実現可能となるサービスとしては例えば以下のものがあげられる。
【０１４７】
無線ＩＣタグの管理者が、カスタマイズ情報として、撮影機能の禁止・制限情報を設定する。撮影機能の制限・禁止事項としては、撮影自体（シャッター操作）の有効／無効、ズーム機能の有効／無効、フラッシュ機能の有効／無効の設定がある。撮影機能を有する情報処理装置では、撮影機能部に対して該当する撮影機能の禁止・制限事項を指示する機能を備える。
【０１４８】
これにより、撮影機能のカスタマイズ情報が設定されている無線ＩＣタグが固着された対象物を撮影する際に、撮影機能を有する情報処理装置の制御部にて無線ＩＣタグの情報を読取り、制限・禁止事項を設定して撮影を実行する。例えば、対象物が絵画の場合に、管理者が無線ＩＣタグへフラッシュ機能の禁止情報を設定して絵画に固着することで、撮影機能を有する情報処理装置のフラッシュ機能を禁止することができる。
【０１４９】
無線ＩＣタグの管理者が、カスタマイズ情報として、撮影映像の保存・転送に関する制限情報を設定する。撮影映像の保存・転送に関する制限情報としては、撮影機能を有する情報処理装置のメモリ部への保存の許可／禁止、通信手段による外部メモリへの保存の許可／禁止、通信手段による転送の許可／禁止、音声の録音の許可／禁止がある。
【０１５０】
撮影機能を有する情報処理装置には、メモリ部に対して該当する禁止・制限事項を指示する機能と、通信部に対して該当する禁止・制限事項を指示する機能を備える。
【０１５１】
これにより、保存・転送に関するカスタマイズ情報が設定されている無線ＩＣタグが固着された対象物を撮影する際に、撮影機能を有する情報処理装置の制御部にて無線ＩＣタグの情報を読取り、制限・禁止事項を設定して撮影を実行する。また、撮影後の映像に関しても制限・禁止情報を設定して確実に制御を実施することができる。
【０１５２】
例えば、管理者が撮影対象物の無線ＩＣタグに通信手段による転送の禁止を設定することで、撮影映像をメール機能によって他の人へ転送されないように、つまり、撮影機能を有する情報処理装置内でのみ再生可能と制限することができる。
【０１５３】
無線ＩＣタグの管理者が、カスタマイズ情報として、撮影に対するロイヤリティを設定する。撮影機能を有する情報処理装置には、代金を支払う手段を備える。代金を支払うことができればいかなる手段でもよい。
具体的には、例えば、電話料金に加算して支払う方法や、電子マネーを使用した支払いがある。これにより、ロイヤリティのカスタマイズ情報が設定されている無線ＩＣタグが固着された対象物を撮影する際に、撮影機能を有する情報処理装置の制御部にて無線ＩＣタグの情報を読取り、撮影者にロイヤリティを払うかを確認することで、撮影に際するロイヤリティを徴収することができる。また、ロイヤリティを支払わない撮影者には撮影を禁止することができる。        
【０１５４】
無線ＩＣタグの管理者が、カスタマイズ情報として、特定の条件によって撮影許可を与えることが可能となる。
【０１５５】
例えば特定の会員に対するサービスとして撮影を許可する情報（撮影許可情報）を設定する。無線ＩＣタグには、撮影機能を有する情報処理装置からの撮影許可に対するトライ値の情報（アクセス信号）を受信し、前記の撮影許可情報と比較して、撮影の許可または不許可を応答する信号（それぞれ撮影許可信号、撮影不許可信号）を送信する機能を備える。前記の撮影許可情報は、判別可能であればいかなる情報でもよい。
【０１５６】
具体的には、例えば、パスワードや専用のアクセスコードがある。撮影機能を有する情報処理装置には、前記のアクセス信号を送信する機能と、前記の撮影許可信号を受信した際には、撮影を許可し、前記の撮影不許可信号を受信した際には、撮影を禁止する機能を備える。
【０１５７】
また、アクセス信号によって送信する値は、撮影の契機に、撮影機能を有する情報処理装置の使用者が、入力部より入力した値でもよいし、予めメモリ部に保存されている情報を使用してもよい。
【０１５８】
これにより、許可条件入力を要求するカスタマイズ情報が設定されている無線ＩＣタグが固着された対象物を撮影する際に、撮影機能を有する情報処理装置の制御部にて無線ＩＣタグの情報を読取り、撮影者に撮影許可条件の入力を確認することで許可された撮影者のみに撮影を許可することができる。
【０１５９】
無線ＩＣタグの管理者が、カスタマイズ情報として、撮影枚数の制限情報を設定する。無線ＩＣタグには、更に、現在の撮影枚数情報の保存領域と、撮影の許可を確認する信号（撮影問い合わせ信号）を受信し、制限枚数と現在の撮影枚数情報を比較して、撮影の許可または不許可を応答する信号（それぞれ撮影許可信号、撮影不許可信号）を送信する機能を備える。
【０１６０】
そして、撮影許可信号を受信した撮影機能を有する情報処理装置が、撮影が完了したことを通知する信号（撮影完了信号）を受信した際に、現在の撮影枚数情報を更新する機能を備える。撮影完了信号に対する応答信号は送信しても、しなくてもよい。
【０１６１】
撮影機能を有する情報処理装置には、前記の撮影問い合わせ信号を送信し、前記の撮影許可信号を受信した際には、撮影を実施後、撮影完了信号を送信する機能を備える。
【０１６２】
また、前記の撮影問い合わせ信号を送信し、前記の撮影不許可信号を受信した際には、撮影を禁止する機能を備える。
【０１６３】
これにより、制限枚数までは、撮影機能を有する情報処理装置が撮影を実施するたびに、無線ＩＣタグからは撮影許可信号が送信され、撮影実施により、無線ＩＣタグの撮影枚数が加算されていく。
【０１６４】
撮影枚数が、制限枚数に達すると、撮影機能を有する情報処理装置が撮影を実施する際に、撮影不許可信号が送信されるようになるため、制限枚数以上は撮影が禁止される。
【０１６５】
なお、これらのカスタマイズ情報は個々に設定してもよいし、混在して設定してもよい。
【０１６６】
次に、以上述べた情報処理装置の実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１６７】
（付記１）  撮影機能を有し、無線ＩＣタグを搭載した対象物を撮影することが可能な情報処理装置において、
該撮影機能を動作した場合に、該無線ＩＣタグへ撮影対象物が存在するか否かをチェックする撮影対象物チェック信号を生成する撮影対象物チェック信号生成部と、
該撮影対象物チェック信号を送信し、該撮影対象物チェック信号に対する無線ＩＣタグからの応答信号を受信可能とする信号送受信部と、
該応答信号を受信した場合に、受信した応答信号に基づいて、該撮影機能を制御する制御部と
を備えることを特徴とする情報処理装置。
（付記２）  該信号送受信部において受信した応答信号が、撮影を禁止する旨の撮影動作禁止信号である場合には、該制御部は該撮影機能の動作を禁止制御することを特徴とする付記１に記載の情報処理装置。
（付記３）  該信号送受信部において該応答信号を受信した場合に、無線ＩＣタグへデータ書き換えを行う旨のデータ書き換え信号を生成するデータ書き換え信号生成部を更に有し、
該信号送受信部において、該無線ＩＣタグからの該データ書き換え信号に対するデータ書き換え応答信号を受信した場合、該制御部はデータ書き換え応答信号に基づいて、該撮影機能を制御することを特徴とする付記１に記載の情報処理装置。
（付記４）  該信号送受信部において受信した応答信号が、撮影を禁止する旨の撮影動作禁止信号である場合に、該データ書き換え信号生成部は、撮影動作禁止解除の旨のデータ書き換え信号を生成することを特徴とする付記３に記載の情報処理装置。
（付記５）  該信号送受信部において受信した応答信号が、撮影を許可する旨の撮影動作許可信号である場合に、該データ書き換え信号生成部は、撮影動作禁止の旨のデータ書き換え信号を生成することを特徴とする付記３に記載の情報処理装置。
（付記６）  該信号送受信部は、指向性アンテナであって、電波を受信する方向を限定することが可能な構成になっていることを特徴とする付記１乃至５の何れかに記載の情報処理装置。
【０１６８】
（付記７）  撮影機能を有し、無線ＩＣタグを搭載した対象物を撮影することが可能な情報処理装置において、
該撮影機能を動作した場合に、該無線ＩＣタグへ撮影対象物が存在するか否かをチェックする撮影対象物チェック信号を生成する撮影対象物チェック信号生成部と、
該撮影対象物チェック信号を送信し、該撮影対象物チェック信号に対する無線ＩＣタグからの応答信号を受信可能とする信号送受信部と、  
該信号送受信部において、該撮影対象物チェック信号を送信してから該応答信号を受信するまでの応答時間を測定する応答時間計測部と、
該応答時間に基づいて、無線ＩＣタグと情報処理装置との距離を算出する距離算出部と、
該距離算出部において算出した該距離と無線ＩＣタグが有する撮影制限距離を比較して、該距離が該撮影制限距離より大きい場合には撮影機能を動作可能に制御し、該距離が該撮影制限距離より小さい場合には撮影機能の動作を禁止制御する制御部と、
を有することを特徴とする情報処理装置。
（付記８）  望遠機能を更に有する情報処理装置であって、
該制御部において、該距離が撮影制限距離より大きいと判断した場合であって、該距離と撮影制限距離の差が所定の閾値より小さいときには該望遠機能の動作を禁止制御することを特徴とする付記７に記載の情報処理装置。
（付記９）  撮影機能を有する情報処理装置と無線を介して通信可能な無線ＩＣタグにおいて、
該情報処理装置から撮影対象物が存在するか否かをチェックする撮影対象物チェック信号を受信可能な信号送受信部と、
該撮影対象物チェック信号を受信した場合に、該撮影対象物チェック信号に対して該情報処理装置の撮影機能の動作を制御する応答信号を生成する応答信号生成部と、
を有し、該信号送受信部より該応答信号を該情報処理装置へ送信することを特徴とする無線ＩＣタグ。
（付記１０）  該応答信号生成部は、該撮影対象物チェック信号に対して撮影を禁止する旨の撮影動作禁止信号を生成することを特徴とする付記９に記載の無線ＩＣタグ。
（付記１１）  該信号送受信部において、データ書き換えを行う旨のデータ書き換え信号を受信した場合、データ書き換え信号に基づいて、該データ書き換え信号が正当な情報処理装置から受信したものであるか否かの認証を行う情報処理装置認証部を更に有することを特徴とする付記９に記載の無線ＩＣタグ。
（付記１２）  無線ＩＣタグを搭載した対象物の撮影を制御する不正撮影防止方法であって、
該対象物を撮影するために撮影機能を起動する撮影機能起動手順と、
該撮影機能が起動した場合に、該無線ＩＣタグへ撮影対象物が存在するか否かをチェックする撮影対象物チェック信号を生成する撮影対象物チェック信号生成手順と、
該撮影対象物チェック信号を送信する撮影対象物チェック信号送信手順と、
該撮影対象物チェック信号に対する無線ＩＣタグからの応答信号を受信した場合に、受信した応答信号に基づいて、該撮影機能を制御する制御手順と、
からなることを特徴とする不正撮影防止方法。
【０１６９】
（付記１３）  無線ＩＣタグを搭載した対象物の撮影を制御する不正撮影防止方法であって、
該対象物を撮影するために撮影機能を起動する撮影機能起動手順と、
該撮影機能が起動した場合に、該無線ＩＣタグへ撮影対象物が存在するか否かをチェックする撮影対象物チェック信号を生成する撮影対象物チェック信号生成手順と、
該撮影対象物チェック信号を送信する撮影対象物チェック信号送信手順と、
該撮影対象物チェック信号に対する無線ＩＣタグからの応答信号を受信した場合に、該撮影対象物チェック信号を送信してから該応答信号を受信するまでの応答時間を測定する応答時間計測手順と、
該応答時間に基づいて、無線ＩＣタグと情報処理装置との距離を算出する距離算出手順と、
該距離と無線ＩＣタグが有する撮影制限距離を比較して、該距離が該撮影制限距離より大きい場合には撮影機能を動作可能に制御し、該距離が該撮影制限距離より小さい場合には撮影機能の動作を禁止制御する制御手順と、
からなることを特徴とする不正撮影防止方法。
（付記１４）  無線ＩＣタグを搭載した対象物の撮影を制御する不正撮影防止プログラムであって、
該対象物を撮影するために撮影機能を起動する撮影機能起動ステップと、
該撮影機能が起動した場合に、該無線ＩＣタグへ撮影対象物が存在するか否かをチェックする撮影対象物チェック信号を生成する撮影対象物チェック信号ステップと、
該撮影対象物チェック信号を送信する撮影対象物チェック信号送信ステップと、
該撮影対象物チェック信号に対する無線ＩＣタグからの応答信号を受信した場合に、受信した応答信号に基づいて、該撮影機能を制御する制御ステップと、
をコンピュータに実行させることを特徴とする不正撮影防止プログラム。
【０１７０】
（付記１５）  無線ＩＣタグを搭載した対象物の撮影を制御する不正撮影防止プログラムであって、
該対象物を撮影するために撮影機能を起動する撮影機能起動ステップと、
該撮影機能が起動した場合に、該無線ＩＣタグへ撮影対象物が存在するか否かをチェックする撮影対象物チェック信号を生成する撮影対象物チェック信号生成ステップと、
該撮影対象物チェック信号を送信する撮影対象物チェック信号送信ステップと、
該撮影対象物チェック信号に対する無線ＩＣタグからの応答信号を受信した場合に、該撮影対象物チェック信号を送信してから該応答信号を受信するまでの応答時間を測定する応答時間計測ステップと、
該応答時間に基づいて、無線ＩＣタグと情報処理装置との距離を算出する距離算出ステップと、
該距離と無線ＩＣタグが有する撮影制限距離を比較して、該距離が該撮影制限距離より大きい場合には撮影機能を動作可能に制御し、該距離が該撮影制限距離より小さい場合には撮影機能の動作を禁止制御する制御ステップと、
をコンピュータに実行させることを特徴とする不正撮影防止プログラム。
【図面の簡単な説明】
【０１７１】
【図１】本発明に係る構成図
【図２】本発明に係る無線ＩＣタグの構成図
【図３】本発明の処理動作を示すフローチャート
【図４】本発明に係る構成図
【図５】本発明に係るライタ機能を有する装置の処理動作を示すフローチャート
【図６】本発明に係る無線ＩＣタグの処理動作を示すフローチャート
【図７】本発明に係るライタ機能を有する装置のフローチャート
【図８】本発明に係る無線ＩＣタグの処理動作のフローチャート
【図９】本発明に係る無線ＩＣタグ埋め込み実施例の外観図
【図１０−１】本発明に係る無線ＩＣタグ貼り付け実施例の外観図
【図１０−２】本発明に係る無線ＩＣタグ貼り付け実施例の外観図
【図１１】本発明に係る無線ＩＣタグ搭載した携帯するものの実施例図
【図１２】カメラ付携帯電話機の水平断面図
【図１３】指向性アンテナを備えるカメラ付携帯電話機の本発明に係る構成図
【図１４】カメラ付携帯電話機を有する人物に無線ＩＣタグを携帯させる実施例図
【図１５】カメラ付携帯電話機の撮影機能の制限内容を切り替える場合の構成図
【図１６】カメラ付携帯電話機の処理動作を示すフローチャート
【図１７】カメラ付携帯電話機の処理動作を示すフローチャート
【図１８】カメラ付携帯電話機の処理動作を示すフローチャート
【符号の説明】
【０１７２】
１０１：撮影対象物
１０２：無線ＩＣタグ
１０３：無線ＩＣタグアンテナ部
１０４：撮影機能を有する情報処理装置
１０５：撮影機能部
１０６：表示部
１０７：アンテナ部
１０８：リーダ機能部
１０９：制御部
１１０：メモリ部
１１１：通信部
２０１：メモリアクセス制御部
２０２：メモリ部ユーザ領域
４０１：ライタ機能を有する装置
４０２：ライタ機能部
４０３：リーダ機能部
４０４：メモリ部
４０５：制御部
４０６：アンテナ部
４０７：入力部
４０８：表示部
１３０４：カメラ付携帯電話機の信号交信領域
１２２１：カメラ付携帯電話機の基盤
１２２２：カメラ付携帯電話機のカメラ部分
１２２３：カメラ付携帯電話機の撮影可能範囲
１５０４：無線ＩＣタグに設定した切替閾値の範囲
１５０５：無線ＩＣタグの初期設定時の電波の到達範囲  
【図１】
2006267687.tif 000003
【図２】
2006267687.tif 000004
【図３】
2006267687.tif 000005
【図４】
2006267687.tif 000006
【図５】
2006267687.tif 000007
【図６】
2006267687.tif 000008
【図７】
2006267687.tif 000009
【図８】
2006267687.tif 000010
【図９】
2006267687.tif 000011
【図１０−１】
2006267687.tif 000012
【図１０−２】
2006267687.tif 000013
【図１１】
2006267687.tif 000014
【図１２】
2006267687.tif 000015
【図１３】
2006267687.tif 000016
【図１４】
2006267687.tif 000017
【図１５】
2006267687.tif 000018
【図１６】
2006267687.tif 000019
【図１７】
2006267687.tif 000020
【図１８】
2006267687.tif 000021